(57)【要約】【課題】ＵＳＢコネクタの挿入孔ロック装置を提供する。【解決手段】ハウジングの外部一端に挿入接続部を成型し、対応するＵＳＢコネクタ挿入孔内に挿入接続し電気的連接を形成し、しかも該ハウジング表側において該挿入接続部より反対側に向かい順番に定位口、貫通部及びウィンドウ開口を設置する。固定栓は押圧部を設置し、該ハウジングの貫通部を通過し外に向かい突出し、該固定栓の一端側には該押圧部と同方向に延伸する定位フック部を設置し、該ハウジングの定位口より外に向かい突出する。番号ダイヤル組は該固定栓の該ハウジング内での活動を制限する。該各番号ダイヤル周縁には複数の位置番号を設置し、該ハウジングのウィンドウ開口を通して外へと展示する。排列組合せにより該固定栓への活動制限を解除可能で、該固定栓の定位フック部は該押圧部の受力に従い、該定位口内において凸伸位置変化を形成する。【選択図】図１
0003133122.tif 000002
【実用新案登録請求の範囲】
【請求項１】
主に少なくともハウジング、固定栓、番号ダイヤル組を含み、
該ハウジングは内部に容置空間を備え、その一端は異なるＵＳＢコネクタ挿入孔の形態に応じて対応する挿入接続部を設置し、しかも該ハウジング表側において該挿入接続部より反対側に向かい順番に少なくとも１個の定位口、１個の貫通部及び少なくとも１個のウィンドウ開口を設置し、
該固定栓は該ハウジングの容置空間内に設置し、該固定栓中段片側において横方向に延伸する押圧部を設置し、該ハウジングの貫通部を通過し、外に向かい突出し、該押圧部の反対側において弾性部品により該ハウジングの内壁面において弾性圧迫し、別に該固定栓の一端側には該押圧部と同方向に延伸する少なくとも１個の定位フック部を設置し、該ハウジングの定位口より外に向かい突出し、これにより該定位フック部は該押圧部の受力に従い該定位口内において凸伸位置変化を形成し、
該番号ダイヤル組は複数の番号ダイヤルが該固定栓周縁において嵌合し、相互に隣接し合併し構成し、該固定栓の該ハウジング内での活動を制限し、該各番号ダイヤル周縁には複数の位置番号を設置し、該ハウジングのウィンドウ開口を通して外へと展示し、その内の１つの排列組合せが該固定栓への活動制限を解除可能であることを特徴とするＵＳＢコネクタの挿入孔ロック装置。
【請求項２】
前記各番号ダイヤルはそれぞれ１個の通孔により該固定栓周縁において嵌合され、しかも該各通孔内においてそれぞれ凹部を設置し、異なる位置番号に対応し、これにより該各凹部は該押圧部の反対側に同時に接続排列し、該押圧部が受ける下圧の阻害を解除可能であることを特徴とする請求項１に記載のＵＳＢコネクタの挿入孔ロック装置。
【請求項３】
前記ハウジングは半分のハウジングが相対結合し構成されることを特徴とする請求項１に記載のＵＳＢコネクタの挿入孔ロック装置。
【考案の詳細な説明】
【技術分野】
【０００１】
本考案は一種のＵＳＢコネクタの挿入孔ロック装置に関する。特に一種のＵＳＢコネクタの挿入孔をロック可能で、不当なデータ伝送行為を防止することができるＵＳＢコネクタの挿入孔ロック装置に係る。
【背景技術】
【０００２】
ＵＳＢ伝送インターフェースは構造が簡易で、伝送効率が高く、しかも技術が成熟しているという特徴を備えるため、コンピュータ或いは各種３Ｃ電子製品と関連拡充装置との接続連結に広く応用されており、ＵＳＢコネクタはなくてはならない部品である。
【０００３】
しかしＵＳＢ伝送インターフェース応用の普及びに従い、コンパクトで高容量の携帯式記憶装置或いは他の関連のデータ伝送装置も急激に発展しているため、パーソナルコンピュータ中の保存データが不当に迅速にアクセスされる可能性が増大している。しかもその被害も伝統的な小容量のフロッピー（登録商標）ディスク或いは保存操作が容易でない光ディスクに比べはるかに大きい。
【０００４】
しかし、現在の市場ではＵＳＢ伝送インターフェースの操作をロック可能な装置或いは製品はなく、セキュリティ上の重大な落とし穴と言える。
【考案の開示】
【考案が解決しようとする課題】
【０００５】
本考案は上記構造の問題点を解決したＵＳＢコネクタの挿入孔ロック装置を提供するものである。
【課題を解決するための手段】
【０００６】
上記課題を解決するため、本考案は下記のＵＳＢコネクタの挿入孔ロック装置を提供する。
【０００７】
それは主にＵＳＢコネクタの挿入孔ロック装置を提供し、ＵＳＢコネクタと外部装置接続の阻害に有効で、不当なデータ伝送行為を防止することができ、さらにそれはＵＳＢコネクタの挿入孔ロック装置を提供し、使用上の安全性を備え、コンピュータ或いは関連装置内部の回路に対して損害を与えることは絶対になく、またそれはＵＳＢコネクタの挿入孔ロック装置を提供し、構造が極めて簡易で、しかも使用は極めて便利で、すなわちそれはハウジング、固定栓、番号ダイヤル組を含み、該ハウジングは内部に容置空間を備え、一端には異なるＵＳＢコネクタ挿入孔の形態に応じて対応する挿入接続部を設置し、しかも該ハウジング表側において該挿入接続部より反対側に向かい順番に少なくとも１個の定位口、１個の貫通部及び少なくとも１個のウィンドウ開口を設置し、該固定栓は該ハウジングの容置空間内に設置し、該固定栓中段片側において横方向に延伸する押圧部を設置し、該ハウジングの貫通部を通過し外に向かい突出し、該押圧部の反対側において弾性部品により該ハウジングの内壁面において弾性圧迫し、別に該固定栓の一端側には該押圧部と同方向に延伸する少なくとも１個の定位フック部を設置し、該ハウジングの定位口より外に向かい突出し、これにより該定位フック部は該押圧部の受力に従い該定位口内において凸伸位置変化を形成し、該番号ダイヤル組は複数の番号ダイヤルが該固定栓周縁において嵌合し、相互に隣接し合併し構成し、該固定栓の該ハウジング内での活動を制限し、該各番号ダイヤル周縁には複数の位置番号を設置し、該ハウジングのウィンドウ開口を通して外へと展示し、その内の１つの排列組合せが該固定栓への活動制限を解除可能であるＵＳＢコネクタの挿入孔ロック装置を提供する。
【考案の効果】
【０００８】
上記のように、本考案ＵＳＢコネクタの挿入孔ロック装置はＵＳＢコネクタと外部装置との接続を確実に隔絶することができ、不当なデータ伝送行為防止の機能と効果を備える。これにより明らかに高い産業上の利用価値、新規性と進歩性を有する。
【考案を実施するための最良の形態】
【０００９】
本考案の構造分解図、組合せ外観図、全体組合せ断面図である図１、図２、図３に示すように、本考案は主にハウジング１、番号ダイヤル組２及び固定栓３を含む。
【００１０】
該ハウジング１は内部が中空の半ハウジング１１、１２が相対結合し構成し、その一端は異なるＵＳＢコネクタ挿入孔の形態に応じて、対応する挿入接続部１３を設置する。しかも該ハウジング１表側において該挿入接続部１３より反対側に向かい順番に少なくとも１個の定位口１１３、貫通部１１２及び少なくとも１個のウィンドウ開口１１１を設置する。該半ハウジング１２表側にはウィンドウ開口１２１を設置し、該ウィンドウ開口１１１に対応する。該半ハウジング１２内側には凸柱１２２を設置し、該貫通部１１２に対応する。
【００１１】
該番号ダイヤル組２は複数の番号ダイヤル２１が相互に隣接し合併し構成し、該各番号ダイヤル２１周縁には複数の位置番号を設置し、該ハウジング１のウィンドウ開口１１１、１２１を通して外へと展示する。該各番号ダイヤル２１中央には通孔２１１を設置し、しかも該各通孔２１１内にはそれぞれ凹部２１２を設置し異なる位置番号に対応する。該固定栓３は該ハウジング１内に設置し、その一端は該各番号ダイヤル２１の通孔２１１を貫通する。
【００１２】
該固定栓３中段片側には横方向に延伸する押圧部３１を設置し、該ハウジング１の貫通部１１２を通過し外に向かい突出する。該押圧部３１の反対側には定位凸柱３２を設置し、弾性部品３２１（バネ）を嵌合し該ハウジング１内の凸柱１２２部位において圧迫する。該固定栓３の反対端側には少なくとも１個の該押圧部３１と同方向に延伸する定位フック部３３を設置し、該定位フック部３３は該ハウジング１の定位口１１３より外に向かって突出する。
【００１３】
本考案の各応用動作指示図である図４、図５、及びＵＳＢコネクタとの結合、分解分離の各状態指示図である図６、図７に示すように、応用時には該ハウジング１の挿入接続部１３を電子装置４のＵＳＢコネクタ挿入孔４１内に挿入する。該弾性部品３２１は該固定栓３を弾性圧迫し、これにより該定位フック部３３は該ハウジング１の定位口１１３外に突出し、該ＵＳＢコネクタ挿入孔４１内の対応する孔洞に嵌合し定位を形成する。該各番号ダイヤル２１は該固定栓３に対してロックを形成し、そのスライド移動を制限し、こうして他のＵＳＢ挿入ヘッドと該ＵＳＢコネクタ挿入孔４１との結合を阻止し、不当なデータ伝送（不正アクセス）状況の発生を防止する。
【００１４】
該各番号ダイヤル２１が予め設定した位置まで回転すると、該各凹部２１２は該固定栓３の押圧部３１の反対側に同時に接続排列し、この時該押圧部３１は下圧を受け、該固定栓３は該各番号ダイヤル２１の凹部２１２内に入り込む。同時に該定位フック部３３も連動され該ハウジング１の定位口１１３内に入る。こうしてロック状態を解除し、該ハウジング１は該ＵＳＢコネクタ挿入孔４１から取り出され、他のＵＳＢ挿入ヘッドと該ＵＳＢコネクタ挿入孔４１は結合し、正常にデータを伝送することができる。
【図面の簡単な説明】
【００１５】
【図１】本考案の構造分解図である。
【図２】本考案の組合せ外観図である。
【図３】本考案の全体組合せ断面図である。
【図４】本考案の応用動作指示図である。
【図５】本考案の応用動作指示図である。
【図６】本考案をＵＳＢコネクタ内に挿入する結合状態指示図である。
【図７】本考案をＵＳＢコネクタ内から分離する動作指示図である。
【符号の説明】
【００１６】
１  ハウジング
１１、１２  半ハウジング
１１１、１２１  ウィンドウ開口
１１２  貫通部
１１３  定位口
１２２  凸柱
１３  挿入接続部
２  番号ダイヤル組
２１  番号ダイヤル
２１１  通孔
２１２  凹部
３  固定栓
３１  押圧部
３２  定位凸柱
３２１  弾性部品
３３  定位フック部
４  電子装置
４１  ＵＳＢコネクタ挿入孔
【図１】
0003133122.tif 000003
【図２】
0003133122.tif 000004
【図３】
0003133122.tif 000005
【図４】
0003133122.tif 000006
【図５】
0003133122.tif 000007
【図６】
0003133122.tif 000008
【図７】
0003133122.tif 000009
【手続補正書】
【提出日】平成19年4月12日(2007.4.12)
【手続補正１】
【補正対象書類名】実用新案登録請求の範囲
【補正対象項目名】全文
【補正方法】変更
【補正の内容】
【実用新案登録請求の範囲】
【請求項１】
主に少なくともハウジング、固定栓、番号ダイヤル組を含み、
該ハウジングは内部に容置空間を備え、その一端は異なるＵＳＢコネクタ挿入孔の形態に応じて対応する挿入接続部を設置し、しかも該ハウジング表側において該挿入接続部より反対側に向かい順番に少なくとも１個の定位口、１個の貫通部及び少なくとも１個のウィンドウ開口を設置し、
該固定栓は該ハウジングの容置空間内に設置し、該固定栓中段片側において横方向に延伸する押圧部を設置し、該ハウジングの貫通部を通過し、外に向かい突出し、該押圧部の反対側において弾性部品により該ハウジングの内壁面において弾性圧迫し、別に該固定栓の一端側には該押圧部と同方向に延伸する少なくとも１個の定位フック部を設置し、該ハウジングの定位口より外に向かい突出し、
該番号ダイヤル組は複数の番号ダイヤルが該固定栓周縁において嵌合し、相互に隣接し合併し構成し、該固定栓の該ハウジング内での活動を制限し、該各番号ダイヤル周縁には複数の位置番号を設置し、該ハウジングのウィンドウ開口を通して外へと展示することを特徴とするＵＳＢコネクタの挿入孔ロック装置。
【請求項２】
前記各番号ダイヤルはそれぞれ１個の通孔により該固定栓周縁において嵌合され、しかも該各通孔内においてそれぞれ凹部を設置し、異なる位置番号に対応し、これにより該各凹部は該押圧部の反対側に同時に接続排列することを特徴とする請求項１に記載のＵＳＢコネクタの挿入孔ロック装置。
【請求項３】
前記ハウジングは半分のハウジングが相対結合し構成されることを特徴とする請求項１に記載のＵＳＢコネクタの挿入孔ロック装置。